(57)【特許請求の範囲】
【請求項１】
躯体出入り口部に設けられる複数枚のパネルと、これら各パネルに連結され、各パネルを回転移動させるべく回転駆動する無端チエンとを備えてなる回転ドア装置において、前記無端チエンは、移動軌跡が曲線となる湾曲部位が湾曲状のガイド部を備えたチエンガイドにより移動案内されるものとし、該チエンガイドは、躯体に対して位置調整自在に設けられていると共に、チエンガイドのガイド部は、湾曲状に形成されたプレート体の板端面部位で構成され、該プレート体が躯体に対して位置調整自在に取付けられている回転ドア装置。
【発明の詳細な説明】
【０００１】
【発明の属する技術分野】
本発明は、建築物の開口部等に設けられる回転ドア装置の技術分野に属するものである。
【０００２】
【従来の技術】
一般に、この種回転ドアのなかには、出入り口部に配される複数枚のパネルと、これらパネルに回転誘導体を介して連結され、各パネルを回転移動させるべく回転駆動する無端チエンとを備えて構成されたものがあり、このものでは、無端チエンを回転駆動させることに伴い、複数枚のパネルが出入り口部を回転して出入り口部の通風を遮断しながらの開閉を行うようにしている。このようなものにおいて、出入り口部が長円形状である平面視小判形となった回転ドアを構成する場合、パネルは、前後（屋内外）の開口部では湾曲状（円弧状）の移動軌跡となり、これら開口部のあいだは直線状の移動軌跡となって回転移動するように構成される。このため、パネルを誘導する無端チエンの移動軌跡は、パネルの移動軌跡と同様に湾曲部位と直線部位とを備えた略長円形状に設けられることが好適であるが、従来の駆動チエンは、例えば図８に示すように、躯体側に軸承された複数のプーリ１７に吊持状に支持される構成となっており、移動軌跡を湾曲状にしたい部位においては、プーリ１７の数を増やして吊持することによりできるだけ湾曲状に近い軌跡となるようにしている。
【０００３】
【発明が解決しようとする課題】
しかるに、前記従来のものでは、隣接するプーリ１７とのあいだが直線状態のままとなっているため、無端チエン１８が回転駆動してパネルが開口部を回転移動する場合に、パネルは、プーリ１７吊持部を一つの曲り角として姿勢を変えながら回転移動することになるため、パネルの回転移動が円滑にならないという問題があり、ここに本発明が解決しようとする課題があった。
一方、このように駆動装置として無端チエンを用いた場合、回転ドア装置を使用する過程で無端チエンに延びが生じ、これを調整する必要がある。そして、従来では、前記プーリとは別にテンションスプロケットを設けておき、該テンションスプロケットの軸長を変化させることで駆動チエンの調整をしている。しかるに、テンションスプロケットを用いて調整するには調整量に限界があるばかりでなく、該テンションスプロケット部位がチエンを吊持するプーリと同様に一つの曲り角となってしまい、パネルの円滑な回転移動をさらに損なってしまうという問題があり、ここにも本発明が解決しようとする課題があった。
【０００４】
【課題を解決するための手段】
本発明は、上記の如き実情に鑑み、これらの課題を解決することを目的として創作されたものであって、躯体出入り口部に設けられる複数枚のパネルと、これら各パネルに連結され、各パネルを回転移動させるべく回転駆動する無端チエンとを備えてなる回転ドア装置において、前記無端チエンは、移動軌跡が曲線となる湾曲部位が湾曲状のガイド部を備えたチエンガイドにより移動案内されるものとし、該チエンガイドは、躯体に対して位置調整自在に設けられていると共に、チエンガイドのガイド部は、湾曲状に形成されたプレート体の板端面部位で構成され、該プレート体が躯体に対して位置調整自在に取付けられている回転ドア装置である。
このようにすることによって、パネルの回転移動が円滑になるうえ、無端チエンの張設調整を簡単に行える。
【０００５】
【発明の実施の形態】
次に、本発明の第一の実施の形態を図面に基づいて説明する。
図面において、１は躯体の出入り口部に設けられる電動式の回転ドア装置であって、該回転ドア装置１を構成するべく躯体に建付けられる筒壁体２は、断面視で屋内外方向に長い長円形状に形成されており、該筒壁体２の屋内外二箇所に開設された前後の開口部２ａ、２ｂを介して躯体内外の出入りがなされるように設定されている。尚、２ｃは筒壁体２の天井部を構成しており、前後の開口部２ａ、２ｂ上方にも庇状に延設されている。３は筒壁体２に囲繞された空間の中央位置に固設された断面長円形状の中央壁体（センターコア）であって、該中央壁体３と筒壁体２とは同芯状の関係で配されている。そして、筒壁体２と中央壁体３とのあいだに形成される略長円リング状の移動空間を、複数のパネル４（本実施の形態では四枚）が移動するが、開口部２ａ、２ｂにおいては湾曲状（円弧状）の移動軌跡となり、開口部２ａ、２ｂのあいだにおいては直線状の移動軌跡となって回転移動するように設定されており、これによって、前後の開口部２ａ、２ｂが同時に開放することのない状態、つまり、出入り口部の通風が遮断された状態での開閉がなされるように設定されている。
【０００６】
一方、前記筒壁体２の天井部２ｃ側には、パネル４が湾曲状の移動軌跡で移動する開口部２ａ、２ｂの上方に位置して、後述する前後のガイドプレート（本発明のチエンガイドに相当する）５が配されており、これら前後のガイドプレート５に、駆動チエン６が移動案内される状態で懸回支持されている。これによって、駆動チエン６は、前後のガイドプレート５懸回部位においては湾曲状に移動案内され、これらガイドプレート５とのあいだの部位が直線状に移動案内される略長円形状の移動軌跡となり、もって、パネル４の移動軌跡と同様の形状になるように設定されている。さらに、天井部２ｃには電動モータを備えた駆動装置７が設けられており、該駆動装置７からの駆動力が第一、第二チエン７ａ、７ｂを介して第一スプロケット７ｃに動力伝動され、該第一スプロケット７ｃと一体回転する第二スプロケット７ｄが前記駆動チエン６に噛合するように設定されている。そして、駆動装置７の駆動に伴い、第二スプロケット７ｄが回転駆動し、これに基づいて駆動チエン６がガイドプレート５に沿って長円状の回転移動を行うように設定されている。
さらに、中央壁体３の周壁には、上下端部に位置して移動案内路３ａが形成されている。
【０００７】
８はパネル４の上下に連結される支持ブラケットであって、該支持ブラケット８にはそれぞれ支持アーム８ａが形成されており、これら支持アーム８ａに、前記パネル４の上下端部が水平方向に揺動自在かつ片持ち状に支持されている。さらに、支持ブラケット８には連結部８ｂが形成されており、該連結部８ｂを、中央壁体３の上下の外周面に一体形成された移動案内路３ａにそれぞれ移動自在に係合支持させることで、パネル４の内径側一側部が中央壁体３に支持されるように設定されている。さらに、上側の支持ブラケット８の支持アーム８ａには、Ｌ字状に折曲されて先端がパネル４の幅方向中間部上方位置に位置するように形成された支持リンク８ｃが上方に向けて突出状に一体形成され、該支持リンク８ｃの先端に、前記駆動チエン６に基端部が連結された連結体６ａの先端部が連結されており、これによって、駆動チエン６の回転に伴い支持ブラケット８（パネル４）が駆動チエン６に引っ張られるような状態で移動し、各パネル４は、中央壁体３の外周に沿う移動、つまり、直線移動と回転移動とが繰り返される回転移動を行うように設定されている。このとき、連結体６ａと支持リンク８ｃとはパネル４の幅方向中間部に位置して連結されており、これによって、パネル４は、各開口部２ａ、２ｂに達して湾曲状の移動軌跡となる場合でも円滑な回転移動ができるように設定されている。尚、８ｄは、上下に設けられる支持ブラケット８を連結支持する支持プレートである。
【０００８】
さて、前記前後のガイドプレート５は前述したように、開口部２ａ、２ｂの上方、つまり駆動チエン６が湾曲状に配される部位に位置してそれぞれ設けられるものであって、必要な径を有した円弧状部が形成された半リング形状の板体となっている。そして、これらガイドプレート５の円弧形状に切断された板端面部位がガイド部５ａとなっており、該ガイド部５ａに駆動チエン６が支持状に移動案内されるように構成されている。尚、本実施の形態のガイド部５ａは樹脂材が一体的に設けられており、これによって、駆動チエン６を摺動性よく支持するとともに、駆動チエン６の摩耗が防止されるように配慮されている。
そして、これら各ガイドプレート５は、天井部２ｃを構成するべく出入り口部に支架される複数のフレーム材２ｄの下方にそれぞれ支持されることで配設されており、さらに各ガイドプレート５は、フレーム材２ｄとのあいだに配される複数の取付け具９の調整に基づいて、フレーム材２ｄ（躯体）に対して位置調整自在に支持されるように設定されている。因みに、これら各取付け具９は、前後のガイドプレート５に対し同様の構成のものが用いられているが、図４に示されるように、前後勝手違い、左右勝手違いの状態で取付けられている。そこで、ここでは前側のガイドプレート５の右側端部をフレーム材２ｄに取付けるための取付け具９の取付け状態について詳述し、その他の取付け状態についての説明を省略する。
【０００９】
つまり、取付け具９を構成する第一プレート１０は、断面四角形状に形成されたフレーム材２ｄの下面に溶着等の固定手段により一体的に取付けられ、その略中央部には、フレーム材２ｄ下面に形成された貫通孔２ｅに連通する状態で螺子孔１０ａが穿設されている。また、フレーム材２ｄの後側面には、前記第一プレート１０の一側（右側であって、外径側）に隣接する状態で、第二プレート１１の上側半部が固定手段を介して一体取付けされており、該第二プレート１１のフレーム材２ｄ下方に延出された下側半部には螺子孔１１ａが形成されている。
これに対向して、ガイドプレート５の上面には平面視Ｌ字形の支持片１２が固定手段を介して一体取付けされており、該支持片１２の上端面に、前後方向を向く長孔１３ａが形成された第三プレート１３が固定手段を介して一体取付けされており、該第三プレート１３と前記フレーム材２ｄ側の第一プレート１０とが互いに面対向する位置関係となっている。また、ガイドプレート５の上面には、フレーム材２ｄ側の第二プレート１１下半部に面対向する第四プレート１４が固定手段を介して一体取付けされるが、該第四プレート１４は、板面が第三プレート長孔１３ａの長手方向中間部に位置する位置関係で配されているとともに、一側縁部が前記支持片１２に突当て状に支持されている。
【００１０】
そして、フレーム材２ｄ側第一プレート１０に、ガイドプレート５側第三プレート１３を下側から押し当てるとともに、フレーム材側第二プレート１１に対しガイドプレート５側第四プレート１４が前方から対向する状態にセットし、第三プレート長孔１３ａ側から挿通した固定ボルト１５を第一プレート螺子孔１０ａに螺合することで、ガイドプレート５のフレーム材２ｄへの仮固定ができるように設定されるが、この状態において、固定ボルト１５は長孔１３ａに対して移動自在になっている。さらに、第二プレート１１側からダブルナット式の調整ボルト１６を螺合し、ボルト軸端部１６ａを第四プレート１４に突き当てて調整ボルト１６の螺合量を変化させることで、第二プレート１１と第四プレート１４との対向間距離の調整がなされ、フレーム材２ｄに対するガイドプレート５の位置決めができるように設定されている。このように、調整ボルト１６の螺合量を変化することにより、ガイドプレート５のフレーム材２ｄに対する位置調整ができるが、このとき、第一プレート１０と第三プレート１３とを仮固定する固定ボルト１５は、第三プレート長孔１３ａ内を移動する状態となっており、フレーム材２ｄに対するガイドプレート５の位置調整は、前記長孔１３ａのストローク分だけできるように設定されている。
【００１１】
尚、このような取付け具９は、一方のガイドプレート５を取付けるにあたり、左右端部にそれぞれ二箇所、中央部位にそれぞれ四箇所と、都合８箇所において取付けられており、これら各取付け具９の調整ボルト１６の螺合量を適宜調整することで、ガイドプレート５取付け位置の位置調整ができるように設定されている。これによって、駆動チエン６に延びが生じたようなとき、前後のガイドプレート５を前後方向に突出させるように位置調整することで、駆動チエン６の湾曲部位形状を変化させることなく、好適な張設状態とすることができるようになっている。
ここで、７ｅはガイドプレート５を切欠いて組込まれたテンションスプロケットであって、該テンションスプロケット７ｅは、ガイドプレート５の移動により駆動チエン６の張設状態を調整後わずかに微調整したいようなときに、該テンションスプロケット７ｅを外径側に突出させることで、容易に駆動チエン６の調整ができるようになっている。
【００１２】
叙述の如く構成された本発明の実施の形態において、パネル４は、駆動装置７の駆動に伴い略長円形状に回転する無端の駆動チエン６に誘導される状態で回転移動することにより、出入り口部の通風を遮断しながらの開口部２ａ、２ｂの開閉を行うことになるが、この場合に、パネル４に連結された駆動チエン６は、パネル４の移動軌跡と略同様の移動軌跡を形成するべく、湾曲状のガイド部５ａが形成されたガイドプレート５にガイドされている。この結果、開口部２ａ、２ｂにおけるパネル４の移動が円滑かつ自然に行えることになって、従来の複数のプーリで駆動チエンを吊持したもののように、パネルの回転移動がプーリ部位において向きを変えてしまうような不具合がない。
【００１３】
しかもこのものでは、ガイドプレート５は、各取付け具９の調整ボルト１６を調整することでフレーム材２ｄに対する位置を調整することができるため、回転ドア装置１の使用の過程で駆動チエン６に延びが生じたような場合に、ガイドプレート５全体のフレーム材２ｄに対する位置調整をすることにより、駆動チエン６を好適な張設状態とすることができる。この結果、従来のもののように、テンションスプロケットが必要以上に外径側に突出して、パネルの円滑な回転移動を損なってしまうような不具合がない。
【００１４】
尚、本発明は前記実施の形態に限定されないことは勿論であって、チエンガイドとしてプレートを用い、板端面をガイド部とする構成の他、ガイド部を断面Ｃ型のガイドレールとして、レール溝に駆動チエンを移動自在に内嵌する構成とすることもでき、このような湾曲状に折曲したガイドレールを天井部の前後に移動自在に取付ける構成とすることができる。
【図面の簡単な説明】
【図１】回転ドア装置の概略を説明する斜視図である。
【図２】回転ドア装置の全体正面図である。
【図３】図２における要部拡大図である。
【図４】回転ドア装置の概略を説明する平面図である。
【図５】図４における要部拡大図である。
【図６】ガイドプレートの取付け状態を説明する斜視図である。
【図７】図７（Ａ）、（Ｂ）はそれぞれガイドプレートの取付け状態を説明する側面図である。
【図８】従来の駆動チエンの吊持状態を示す平面図である。
【符号の説明】
１    回転ドア装置
２ａ    開口部
２ｄ    フレーム材
３    中央壁体
４    パネル
６    駆動チエン
９    取付け具
１０    第一プレート
１１    第二プレート
１３    第三プレート
１３ａ    長孔
１５    固定ボルト
１６    調整ボルト
【図１】
0003803860.tif 000002
【図２】
0003803860.tif 000003
【図３】
0003803860.tif 000004
【図４】
0003803860.tif 000005
【図５】
0003803860.tif 000006
【図６】
0003803860.tif 000007
【図７】
0003803860.tif 000008
【図８】
0003803860.tif 000009